(57)【要約】【課題】ユーザーの利便性を向上させることができる表示制御装置、表示制御プログラム及び表示制御方法を提供する。【解決手段】表示制御装置１００は、タッチパネル部２と、表示制御部４と、検出部２１とを備える。前記表示制御部４は、前記タッチパネル部２にスクロールバー２２２とスライダー２２１とを表示する。前記検出部２１は、前記スライダー２２１の移動を検出する。前記表示制御部４は、前記スライダー２２１が第１方向と前記第１方向と異なる第２方向とに連続して移動したことを前記検出部２１が検出した場合に、前記スライダー２２１の移動速度を調整する。【選択図】図３
2019160023.tif 000002
【特許請求の範囲】
【請求項１】
タッチパネル部と、
前記タッチパネル部にスクロールバーとスライダーとを表示する表示制御部と、
前記スライダーの移動を検出する検出部と、
を備え、
前記スライダーが第１方向と前記第１方向とは異なる第２方向とに連続して移動したことを前記検出部が検出した場合に、前記表示制御部は前記スライダーの移動速度を調整する、表示制御装置。
【請求項２】
前記表示制御部は、前記スライダーの移動速度を第１移動速度から前記第１移動速度とは異なる第２移動速度に調整し、
前記第１移動速度は、前記第１方向における前記スライダーの移動速度を示し、
前記第２移動速度は、前記第２方向における前記スライダーの移動速度を示す、請求項１に記載の表示制御装置。
【請求項３】
前記表示制御部は、前記第２移動速度を前記第１移動速度より遅くなるように調整する、請求項２に記載の表示制御装置。
【請求項４】
前記表示制御部は、前記スライダーの移動を前記検出部が検出しない場合、前記スライダーの移動速度を前記第１移動速度に調整する、請求項２または請求項３に記載の表示制御装置。
【請求項５】
前記表示制御部は、前記タッチパネル部に画像を表示し、
前記表示制御部は、前記画像が所定数以上の場合、前記第２方向における前記スライダーの移動速度を前記第２移動速度に調整する、請求項２から請求項４のいずれか１項に記載の表示制御装置。
【請求項６】
前記表示制御部は、前記スライダーが前記第１方向と前記第２方向とに連続して移動したことを前記検出部が検出し、さらに連続して前記第１方向に前記スライダーが移動したことを前記検出部が検出した場合、前記スライダーの移動速度を前記第２移動速度から前記第１移動速度に調整する、請求項２〜請求項５のいずれか１項に記載の表示制御装置。
【請求項７】
タッチパネル部にスクロールバーとスライダーとを表示するように前記タッチパネル部を制御する制御ステップと、
前記スライダーの移動を検出する検出ステップと、
前記検出ステップにおいて前記スライダーが第１方向と前記第１方向とは異なる第２方向とに連続して移動したことを検出した場合に、表示制御部が前記スライダーの移動速度を調整する調整ステップと
をコンピューターに実行させる、表示制御プログラム。
【請求項８】
タッチパネル部を有する表示制御装置が実行する表示制御方法であって、
前記タッチパネル部にスクロールバーとスライダーとを表示する表示ステップと、
前記スライダーの移動を検出する検出ステップと、
前記検出ステップにおいて前記スライダーが第１方向と前記第１方向とは異なる第２方向とに連続して移動したことを検出した場合に、表示制御部が前記スライダーの移動速度を調整する調整ステップと
を備える、表示制御方法。
【発明の詳細な説明】
【技術分野】
【０００１】
本発明は、表示制御装置、表示制御プログラム及び表示制御方法に関する。
【背景技術】
【０００２】
一般に、表示手段にスクロールバーとスライダーとを表示するスクロールバー操作装置が知られている。このようなスクロールバー操作装置として、特許文献１に記載のスクロールバー操作装置は、スクロールバーと、スライダーと、指定位置情報表示手段と、スライダー表示位置変更手段とを備える。特許文献１に記載のスクロールバー操作装置によれば、スライダーが移動操作されるとスライダーの位置に応じた情報を表示できる。
【先行技術文献】
【特許文献】
【０００３】
【特許文献１】特開２００４−１３９３２１号公報
【発明の概要】
【発明が解決しようとする課題】
【０００４】
しかしながら、特許文献１に記載のスクロールバー操作装置では、スライダーの移動速度が変更されない。また、情報が多い場合、少しのスライダーの移動で、多くの情報が遷移する。情報が多く、スライダーの速度が変更されない場合、ユーザーは、スライダーが所望する情報の位置に移動するまで、何度もスライダーを移動させる必要があり、利便性が充分でない。
【０００５】
本発明は上記課題に鑑みてなされたものであり、ユーザーの利便性を向上させることができる表示制御装置、表示制御プログラム及び表示制御方法を提供することを目的とする。
【課題を解決するための手段】
【０００６】
本発明に係る表示制御装置は、タッチパネル部と、表示制御部と、検出部とを備える。前記表示制御部は、前記タッチパネル部にスクロールバーとスライダーとを表示する。前記検出部は、前記スライダーの移動を検出する。前記表示制御部は、前記スライダーが第１方向と前記第１方向とは異なる第２方向とに連続して移動したことを前記検出部が検出した場合に、前記表示制御部は前記スライダーの移動速度を調整する。
【０００７】
本発明に係る表示制御プログラムは、制御ステップと、検出ステップと、調整ステップとをコンピューターに実行させる。前記制御ステップは、タッチパネル部がスクロールバーとスライダーとを表示するように前記タッチパネル部を制御する。前記検出ステップは、前記スライダーの移動を検出する。前記調整ステップは、前記検出ステップにおいて前記スライダーが第１方向と前記第１方向とは異なる第２方向とに連続して移動したことを検出した場合に、表示制御部が前記スライダーの移動速度を調整する。
【０００８】
本発明に係るタッチパネル部を有する表示制御装置が実行する表示制御方法は、表示ステップと、検出ステップと、調整ステップとを備える。前記表示ステップは、前記タッチパネル部にスクロールバーとスライダーとを表示する。前記検出ステップは、前記スライダーの移動を検出する。前記調整ステップは、前記検出ステップにおいて前記スライダーが第１方向と前記第１方向とは異なる第２方向とに連続して移動したことを検出した場合に、表示制御部が前記スライダーの移動速度を調整する。
【発明の効果】
【０００９】
本発明によれば、ユーザーの利便性が向上する。
【図面の簡単な説明】
【００１０】
【図１】本発明の実施形態に係る表示制御装置を示す図である。
【図２】表示部の画面に表示された文書選択画面を示す図である。
【図３】スライダーを方向Ｄ１に移動させた図である。
【図４】スライダーを方向Ｄ２に移動させた図である。
【図５】表示制御部がスライダーの移動速度を調整する処理を示す図である。
【発明を実施するための形態】
【００１１】
以下、本発明の実施形態について、図面を参照しながら説明する。なお、図中、同一または相当部分については同一の参照符号を付して説明を繰り返さない。
【００１２】
まず、図１を参照して本発明の実施形態に係る表示制御装置１００を説明する。図１は、本発明の実施形態に係る表示制御装置１００を示す図である。
【００１３】
表示制御装置１００は、例えば、スマートフォンまたはパソコンの一部として用いられる。表示制御装置１００は、タッチパネル部２と、記憶部３と、表示制御部４とを備える。図１に示すＹ軸は、タッチパネル部２の長辺と平行である。Ｙ軸は、左右方向を示す。Ｘ軸は、タッチパネル部２の短辺と平行である。Ｘ軸は、上下方向を示す。
【００１４】
タッチパネル部２は、ユーザーからの操作を受け付ける。また、タッチパネル部２は、画像を表示する。タッチパネル部２は矩形状である。タッチパネル部２は、検出部２１と、表示部２２とを含む。
【００１５】
検出部２１は、ユーザーの操作を検出する。例えば、ユーザーは指で検出部２１を操作する。検出部２１は、ユーザーの指が接触している位置を検出する。検出部２１は、矩形状である。検出部２１は、表示部２２に重なるように配置される。なお、検出部２１は透明である。
【００１６】
表示部２２は、画像を表示する。表示部２２は、画面を含む。表示部２２は画面に任意の画像を表示する。表示部２２は、液晶表示装置であってもよく、有機ＥＬ表示装置であってもよい。ユーザーは、検出部２１を介して表示部２２の画面に表示された画像を視認できる。
【００１７】
記憶部３は、制御プログラムと、画像とを記憶する。制御プログラムは、例えば、表示制御部４の動作を制御するプログラムを含む。
【００１８】
記憶部３は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００１９】
表示制御部４は、制御プログラムを実行することにより、表示制御装置１００の動作を制御する。表示制御部４は、ＣＰＵ（Ｃｅｎｔｒａｌ  Ｐｒｏｃｅｓｓｉｎｇ  Ｕｎｉｔ）のようなプロセッサーによって構成される。表示制御部４は、表示制御装置１００を動作させる集積回路を備える。表示制御装置１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００２０】
表示制御部４は、タッチパネル部２と、記憶部３とにそれぞれ接続される。表示制御部４は、タッチパネル部２と、記憶部３とを制御する。例えば、表示制御部４はタッチパネル部２の表示部２２を制御する。例えば、表示制御部４は、検出部２１の検出結果に基づいて表示部２２の表示する画像を変更する。
【００２１】
次に、検出部２１の詳細を説明する。検出部２１は、接触している指の位置を検出する。ユーザーが単数の指で検出部２１に接触した場合、検出部２１は、単数の指が接触している位置を検出する。例えば、１本の指で検出部２１を操作する。検出部２１は、１本の指が接触している１つの位置を検出する。１本の指で検出部２１に接触する操作は、タッチ操作の例に相当する。
【００２２】
また、検出部２１は、ユーザーの指が検出部２１と接触した状態で検出部２１の上を移動する擦動を検出する。指の擦動は、表示部２２に表示された画像に対して行う。指の擦動は、例えば、表示部２２に表示された画像を移動させる。表示された画像を移動させる動作は、スクロール操作の例に相当する。
【００２３】
また、検出部２１は、擦動の方向を検出する。具体的には、検出部２１は、Ｘ軸方向の擦動とＹ軸方向の擦動とを検出する。さらに具体的には、検出部２１は、Ｘ軸方向における上方向の擦動と下方向の擦動とを検出する。また、検出部２１は、Ｙ軸方向における左方向の擦動と右方向の擦動とを検出する。
【００２４】
図１及び図２を参照して、文書選択画面を説明する。図２は、表示部２２の画面に表示された文書選択画面を示す図である。表示制御部４は、表示部２２が文書選択画面を表示するように表示部２２を制御する。文書選択画面には、複数の画像が表示される。具体的には、文書選択画面には、フォルダー画像２３０と、文書画像２４０と、スライダー２２１と、スクロールバー２２２とが表示される。
【００２５】
表示制御部４は、表示部２２が文書選択画面にフォルダー画像２３０を表示するように表示部２２を制御する。フォルダー画像２３０は、ユーザーによって選択されたフォルダーの名前と、文書画像２４０の番号２３１と、フォルダーに収容された文書画像２４０の総数２３２とを含む。文書画像２４０の番号２３１は、スライダー２２１の位置に応じて変更される。文書画像２４０の総数２３２は、フォルダーに収容された文書画像２４０の数に応じて変更される。
【００２６】
表示制御部４は、表示部２２が文書選択画面に文書画像２４０を表示するように表示部２２を制御する。具体的には、表示制御部４は、表示部２２が文書選択画面に文書画像２４０を４つ表示するように表示部２２を制御する。例えば、表示制御部４は、表示部２２が文書選択画面に文書１と、文書２と、文書３と、文書４とを表示するように表示部２２を制御する。文書画像２４０は、文書１〜文書４８を含む。
【００２７】
また、表示制御部４は、文書画像２４０を選択できるように文書選択画面に文書画像２４０を表示する。例えば、図２に示す文書３を選択する場合、文書選択画面全体のうち文書３の画像を表示している部分をタッチする。検出部２１は、文書３の画像に対するタッチ操作を検出する。表示制御部４は、検出部２１の検出結果に基づいて、表示部２２が文書３の内容を表示するように表示部２２を制御する。この結果、ユーザーは、文書選択画面に表示された文書画像２４０を選択でき、文書画像２４０の内容を確認できる。
【００２８】
表示制御部４は、表示部２２が文書選択画面にスライダー２２１とスクロールバー２２２とを表示するように表示部２２を制御する。また、表示制御部４は、スライダー２２１を、矩形状のスクロールバー２２２の内部に表示する。また、表示制御部４は、文書画像２４０の総数２３２に基づいてスライダー２２１のサイズを変更する。
【００２９】
スライダー２２１は、スクロールバー２２２の内部を移動する。具体的には、スライダー２２１は、スクロールバー２２２の長手方向に沿って移動する。また、スクロールバー２２２の長手方向がＸ軸と一致するように表示される場合、スライダー２２１は、Ｘ軸方向に移動可能となる。スライダー２２１をＸ軸方向に移動させることで、文書選択画面をＸ軸方向にスクロール操作できる。また、スクロールバー２２２の長手方向がＹ軸と一致するように表示される場合、スライダー２２１は、Ｙ軸方向に移動可能となる。スライダー２２１をＹ軸方向に移動させることで、文書選択画面をＹ軸方向にスクロール操作できる。
【００３０】
スライダー２２１を移動させる場合、文書選択画面全体のうちスライダー２２１の画像を表示している部分をタッチする。検出部２１は、スライダー２２１に対するタッチ操作を検出する。さらにスライダー２２１をタッチした状態でスライダー２２１を移動させたい方向に検出部２１を擦動する。検出部２１は、スライダー２２１の移動を検出する。表示制御部４は、検出部２１の検出結果に基づいて、スライダー２２１の位置に対応する文書画像２４０を表示するように表示部２２を制御する。この結果、ユーザーは所望する文書画像２４０を探すことができる。
【００３１】
また、スライダー２２１を移動させた場合、表示制御部４は、表示部２２がスライダー２２１の位置に対応する文書画像２４０を文書選択画面に４つ表示するように表示部２２を制御する。
【００３２】
また、スライダー２２１がスクロールバー２２２の上方端側に表示される場合、表示制御部４は、文書１と、文書２と、文書３と、文書４とを文書選択画面に表示するように表示部２２を制御する。また、スライダー２２１がスクロールバー２２２の下方端側に表示される場合、表示制御部４は、文書４５と、文書４６と、文書４７と、文書４８とを文書選択画面に表示するように表示部２２を制御する。文書画像の総数が４８個の場合、スライダー２２１は、文書１〜文書４８までをスクロール操作できる。
【００３３】
また、表示制御部４は、スライダー２２１の移動に合わせて文書画像２４０が遷移する様子を表示するように表示部２２を制御してもよい。
【００３４】
また、表示制御部４は、スライダー２２１の移動を検出部２１が検出しない状態となっても、スライダー２２１が移動するように表示部２２を制御してもよい。この結果、スライダー２２１の移動を頻繁に行う必要がなくなる。この結果、ユーザーの利便性が向上する。また、表示制御部４は、スライダー２２１の移動を検出部２１が検出しない状態となっても、文書選択画面に表示された文書画像２４０を遷移させてもよい。このような表示部２２の制御は、慣性スクロールの例に相当する。
【００３５】
図２及び図３を参照して、スライダー２２１が方向Ｄ１に移動した場合を説明する。図３は、図２に示すスライダー２２１を方向Ｄ１に移動させた図である。方向Ｄ１は、スクロールバー２２２の上端側から下端側に向かう方向である。図２に示すスライダー２２１の位置に対応する文書画像２４０は、文書１〜文書４である。図３に示すスライダー２２１の位置に対応する文書画像２４０は、文書９〜文書１２である。
【００３６】
例えば、図２に示すように、文書選択画面に文書１〜文書４が表示されている状態で、スライダー２２１を方向Ｄ１に移動させる。スライダー２２１は、図３に示す位置に移動する。表示制御部４は、移動後のスライダー２２１の位置に対応する文書画像２４０を文書選択画面に４つ表示するように表示部２２を制御する。スライダー２２１の位置に対応する文書画像２４０は、文書９〜文書１２である。
【００３７】
図３及び図４を参照して、スライダー２２１が方向Ｄ２に移動した場合を説明する。図４は、図３に示すスライダー２２１を方向Ｄ２に移動させた図である。方向Ｄ２は、スクロールバー２２２の下端側から上端側に向かう方向である。図４に示すスライダー２２１の位置に対応する文書画像２４０は、文書１〜文書４である。
【００３８】
例えば、図３に示すように、文書選択画面に文書９〜文書１２が表示されている状態で、スライダー２２１を方向Ｄ２に移動させる。スライダー２２１は、図４に示す位置に移動する。表示制御部４は、移動後のスライダー２２１の位置に対応する文書画像２４０を文書選択画面に４つ表示するように表示部２２を制御する。スライダー２２１の位置に対応する文書画像２４０は、文書１〜文書４である。
【００３９】
図２、図３及び図４を参照して表示制御部４のスライダー２２１の移動速度を調整する制御を説明する。表示制御部４は、スライダー２２１の移動速度を調整する。具体的には、表示制御部４は、スライダー２２１の移動速度を第１移動速度または第２移動速度に調整する。さらに具体的には、スライダー２２１が第１方向と第２方向とに連続して移動したことを検出部２１が検出した場合に、表示制御部４は、スライダー２２１の移動速度を第１移動速度から第２移動速度に調整する。
【００４０】
第１移動速度は、第１方向における移動速度である。第１方向は、初めにスライダー２２１の移動が開始された方向である。例えば、図３に示す方向Ｄ１である。第２移動速度は、第２方向における移動速度である。第２方向は、第１方向と異なる方向である。例えば、図４に示す方向Ｄ２である。
【００４１】
また、第１方向と第２方向とにスライダー２２１が連続して移動する場合とは、例えば、スライダー２２１が、図２に示すスライダー２２１の位置から図３に示すスライダー２２１の位置に移動させる操作と、図３に示すスライダー２２１の位置から図４に示すスライダー２２１の位置に移動させる操作とが連続して行われた場合である。つまり、スライダー２２１に対して、方向Ｄ１への移動と方向Ｄ２への移動とが連続して行われたことを検出部２１が検出した場合に、表示制御部４は、スライダー２２１の移動速度を第１移動速度から第２移動速度に調整する。また、表示制御部４は、第２移動速度を第１移動速度よりも遅くなるように調整する。
【００４２】
ユーザーが、第１方向にスライダー２２１を移動させて所望の文書画像２４０を探している際に、スライダー２２１の位置が所望の文書画像２４０の位置を通過する場合がある。この場合、ユーザーは、第２方向にスライダー２２１を移動させる。また、第１方向のスライダー２２１の移動速度と、第２方向のスライダー２２１の移動速度とが同じ移動速度であると、スライダー２２１の位置が所望の文書画像２４０の位置を再び通過する場合がある。このため、スライダー２２１の第１方向の移動と第２方向の移動とを連続して検出部２１が検出する場合、表示制御部４は、第２方向に移動するスライダー２２１の移動速度を第２移動速度に調整する。具体的には、表示制御部４は、第２方向に移動するスライダー２２１の移動速度を遅くする。この結果、画像を探すことが容易となり、ユーザーの利便性が向上する。
【００４３】
また、表示制御部４は、スライダー２２１が第１方向と第２方向とに連続して移動したことを検出部２１が検出し、さらにスライダー２２１が連続して第１方向に移動したことを検出部２１が検出した場合、スライダー２２１の移動速度を第２移動速度から第１移動速度に調整してもよい。スライダー２２１が第２移動速度で移動する場合、スライダー２２１の移動速度が遅いため、表示部２２に同一の文書画像２４０が長く表示される。このため、画像を探す時間が長くなる。したがって、表示制御部４は、スライダー２２１の移動速度を第２移動速度に調整した後に、再び第１方向のスライダー２２１の移動を検出した場合、第２移動速度より速い第１移動速度に調整する。この結果、表示部２２に同一の文書画像２４０を表示している時間が短くなり、文書画像２４０を探す時間が短くなる。つまり、ユーザーの利便性が向上する。
【００４４】
また、表示制御部４は、検出部２１がスライダー２２１の移動を検出しない場合、スライダー２２１の移動速度を第１移動速度に調整してもよい。例えば、ユーザーの指が検出部２１から離れた場合、検出部２１は、スライダー２２１の移動を検出しない。表示制御部４は、検出部２１の検出結果に基づいてスライダー２２１の移動速度を第１移動速度に調整する。スライダー２２１の第２移動速度は、第１移動速度より遅いため、文書画像２４０が多い場合、スライダー２２１の移動速度を第２移動速度のままにすると画像を探す時間が長くなる。このため、検出部２１がスライダー２２１の移動を検出しない場合、スライダー２２１の移動速度を第１移動速度に調整する。この結果、文書画像２４０を探すことが容易となり、ユーザーの利便性が向上する。
【００４５】
また、表示制御部４は、スライダー２２１を第１方向に移動させて、文書画像２４０が慣性スクロールしている間に、スライダー２２１が第２方向に移動したことを検出部２１が検出した場合、スライダー２２１の移動速度を第１移動速度から第２移動速度に調整してもよい。この結果、ユーザーの指が検出部２１から一旦離れても文書画像２４０が慣性スクロールしていれば、表示制御部４はスライダー２２１の移動速度を第２移動速度に調整できる。
【００４６】
また、表示制御部４は、記憶部３が記憶する文書画像２４０の数に基づいて、スライダー２２１の移動速度を調整する。具体的には、表示制御部４は、記憶部３が記憶する文書画像２４０が所定数以上である場合、スライダー２２１の移動速度を第２移動速度に調整する。所定数以上の文書画像２４０とは、例えば、１度に文書選択画面に表示できる文書画像２４０の個数を超える場合である。表示制御部４は、文書選択画面に、１度に４個の文書画像２４０を表示できる。つまり、文書画像２４０の数が５個以上となる場合、スライダー２２１の移動速度を調整する。文書画像２４０の総数２３２が少ない場合、スライダー２２１の移動速度を調整する必要がない。この結果、ユーザーの利便性を向上できる。
【００４７】
なお、表示制御部４は、表示部２２がスライダー２２１の移動速度を設定する設定画面を表示するように表示部２２を制御してもよい。移動速度の設定画面は、第１移動速度と第２移動速度とを個別に設定できる。この結果、ユーザーの望む移動速度でスライダー２２１を移動させることができる。
【００４８】
図５を参照して、表示制御部４が、スライダー２２１の移動速度を調整する処理を説明する。図５は、表示制御部４がスライダー２２１の移動速度を調整する処理を示す図である。図５に示すように、ステップＳ１〜ステップＳ２１の処理が行われることで、スライダー２２１の移動速度を調整できる。
【００４９】
ステップＳ１：検出部２１は、スライダー２２１の第１方向の移動を検出する。処理は、ステップＳ３に進む。
【００５０】
ステップＳ３：表示制御部４は、表示部２２が第１速度で移動するスライダー２２１を表示するように表示部２２を制御する。また、表示制御部４は、スライダー２２１の移動に合わせて、文書画像２４０が遷移するように表示部２２を制御する。
【００５１】
ステップＳ５：検出部２１は、スライダー２２１の第２方向の移動を検出する。処理は、ステップＳ７に進む。
【００５２】
ステップＳ７：表示制御部４は、記憶部３に記憶された文書画像２４０が所定数以上であるか否かを判定する。文書画像２４０が所定数以上でない場合（ステップＳ７においてＮｏ）、処理はステップＳ２１に進む。文書画像２４０が所定数以上である場合（ステップＳ７においてＹｅｓ）、処理は、ステップＳ９に進む。
【００５３】
ステップＳ９：表示制御部４は、スライダー２２１の移動速度を第１移動速度から第２移動速度に調整する。
【００５４】
ステップＳ１１：表示制御部４は、表示部２２が第２速度で移動するスライダー２２１を表示するように表示部２２を制御する。また、表示制御部４は、スライダー２２１の移動に合わせて、文書画像２４０が遷移するように表示部２２を制御する。
【００５５】
ステップＳ１３：表示制御部４は、検出部２１がスライダー２２１の移動を検出するか否かを判定する。検出部２１がスライダー２２１の移動を検出しない場合（ステップＳ１３においてＮｏ）、処理は、ステップＳ１９に進む。検出部２１がスライダー２２１の移動を検出する場合（ステップＳ１３においてＹｅｓ）、処理は、ステップＳ１５に進む。
【００５６】
ステップＳ１５：表示制御部４は、検出部２１がスライダー２２１の第１方向への移動を検出するか否かを判定する。検出部２１がスライダー２２１の第１方向の移動を検出する場合（ステップＳ１５においてＹｓｅ）、処理は、ステップＳ１９に進む。検出部２１がスライダー２２１の第１方向の移動を検出しない場合（ステップＳ１５においてＮｏ）、処理は、ステップＳ１７に進む。
【００５７】
ステップＳ１７：表示制御部４は、表示部２２が第２速度で移動するスライダー２２１を表示するように表示部２２を制御する。また、表示制御部４は、スライダー２２１の移動に合わせて、文書画像２４０が遷移するように表示部２２を制御する。
【００５８】
ステップＳ１９：表示制御部４は、スライダー２２１の移動速度を第２移動速度から第１移動速度に調整する。
【００５９】
ステップＳ２１：表示制御部４は、表示部２２が第２速度で移動するスライダー２２１を表示するように表示部２２を制御する。また、表示制御部４は、スライダー２２１の移動に合わせて、文書画像２４０が遷移するように表示部２２を制御する。
【００６０】
この結果、スライダー２２１の移動速度を調整できるので、スライダー２２１の操作が容易となる。このため、ユーザーの利便性が向上する。
【００６１】
本明細書において、ステップＳ１とステップＳ５は、「検出ステップ」の例に相当する。ステップＳ９は、「調整ステップ」の例に相当する。
【００６２】
以上、図面（図１〜図５）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【００６３】
なお、文書画像の数が少ない場合、スライダー２２１の位置が所望する文書画像２４０の位置を通過しても、スライダー２２１を所望する文書画像２４０を探すことが容易である。このため、表示制御部４は、スライダー２２１の移動速度を調整する際に、第２移動速度を第１移動速度より速くなるように調整してもよい。この結果、ユーザーの利便性が向上する。また、文書画像２４０の数が少ない場合、スライダー２２１の移動速度を遅くすると、所望する文書画像２４０を探す時間が長くなる。このため、表示制御部４は、スライダー２２１の移動速度を調整する際に、第２移動速度を第１移動速度と同じになるように調整してもよい。この結果、所望する文書画像２４０を探す時間が短くなり、ユーザーの利便性が向上する。
【産業上の利用可能性】
【００６４】
本発明は、表示制御装置、表示制御プログラム及び表示制御方法の分野に利用可能である。
【符号の説明】
【００６５】
２      タッチパネル部
４      表示制御部
２１    検出部
１００  表示制御装置
２２１  スライダー
２２２  スクロールバー
Ｓ１    ステップ（検出ステップ）
Ｓ５    ステップ（検出ステップ）
Ｓ９    ステップ（調整ステップ）
【図１】
2019160023.tif 000003
【図２】
2019160023.tif 000004
【図３】
2019160023.tif 000005
【図４】
2019160023.tif 000006
【図５】
2019160023.tif 000007